(57)【要約】【課題】飲食品への適用が可能な糖縮合物を製造するための触媒組成物の提供。【解決手段】活性炭を触媒成分として含んでなる、糖縮合反応用触媒組成物。【選択図】なし【特許請求の範囲】
【請求項１】
活性炭を触媒成分として含んでなる、糖縮合反応用触媒組成物。
【請求項２】
糖縮合反応が１００℃〜３００℃の温度条件下で行う反応である、請求項１に記載の触媒組成物。
【請求項３】
糖縮合反応が食物繊維含量３０重量％以上の糖縮合物組成物を生成する縮合反応である、請求項１または２に記載の触媒組成物。
【請求項４】
請求項１〜３のいずれか一項に記載の触媒組成物と糖縮合物を含んでなる、糖縮合反応組成物。
【発明の詳細な説明】
【技術分野】
【０００１】
本発明は糖縮合反応用触媒組成物に関し、詳細には、活性炭を触媒成分として含んでなる糖縮合反応用触媒組成物に関する。
【背景技術】
【０００２】
炭水化物は三大栄養素の一つであり、生命を維持する上で必須な栄養素でその摂取は生命活動を維持する上で必須である。一方、飽食の時代を迎え、成人病等の主たる原因の一つである肥満の防止という視点から、必要以上のカロリーを制限する事が求められるようになった。カロリーを制限する際、摂取する食物の総量を制御する事は最も有効な方法であるが、甘味物等の高カロリー食品への欲求を抑える事は容易ではない。この欲求を満たしつつ、摂取カロリーを抑える方法として“食物繊維”を食品に含有させる事が有効である。例えば、高甘味甘味料に食物繊維を増量剤として加えてダイエット甘味剤としたり、スプレー乾燥食品の賦形剤として食物繊維を加える事で、低カロリーで満腹感を付与させる等の場合がある。
【０００３】
これまでに食品分野に使用されている食物繊維としては、植物のヘミセルロース画分を抽出した天然物やグルコースとソルビトールとクエン酸あるいはリン酸とを一定割合で混合し、高温真空下で重合させた縮合物であるポリデキストロースや、デンプンを塩酸存在下、焙焼して得られる焙焼デキストリン、更には、これを消化酵素で処理した後に、酵素耐性画分を分画して得られる難消化性デキストリンが利用されている。植物抽出物はその抽出効率や着色性、食品加工においては必要以上に粘度が高い等の点で課題があり、現在はポリデキストロースや難消化性デキストリンが市場での高い評価を受けているのが現状である。難消化性デキストリンは、デンプンの酸による加水分解と焙焼による熱縮合が同時に起こり、その点では糖を酸と熱により縮合させ、高分子のグルコースポリマー（多糖類）を生成させるという点で、ポリデキストロースと同等と言える。こうした糖縮合は結合がランダムであり、消化酵素で切断されにくい場合が多く、その意味で食物繊維としての機能が付与されていると考えられる。また、難消化性デキストリンの場合は、縮合物を更に消化酵素で処理した後に、酵素耐性画分を分画して食物繊維含有量をあげる事が試みられているが、コストの点で、分画の必要が無い新規な縮合物の製造方法が求められてきた。
【０００４】
ところで、単糖類を直接縮合させて多糖類を合成しようとする試みは古くからおこなわれている。多糖類の合成法は大別して、加水分解逆反応法、溶融法、固相法、溶媒法に分けられる。単糖類を使う限り、いずれの方法でも、得られる生成物は構造上の規則性がなく各種分解酵素に分解されにくい低カロリー糖であるといわれている。従って、前述の食物繊維を食品で利用する際は、素材を消化酵素で消化し、耐性画分を食物繊維含量として酵素−重量法、複合法、非重量法等により評価、算出されている。縮合法において、加水分解逆反応法は一般に収率が低く、溶媒法は反応後その溶媒を除去する必要が生じる。そのため両方法ともコストの面で低カロリー糖（食物繊維）の製造方法には適さない。また、固相法も反応時間が長かったり、触媒を効率よく混合するという点で課題がある。この点、原料である糖の融点以上で糖を溶融させ高温真空下若しくは不活性ガス気流中で脱水縮合させる溶融法は工程が単純で前述の方法と比較すると有利だが、着色性の点で課題がある。
【０００５】
このうち高温真空下での溶融法は種々試みられている。原料として最も安価なグルコースに限ると、触媒なしで溶融して脱水縮合させる方法、亜リン酸を触媒とする方法、強酸性樹脂を触媒とする方法、塩化チオニルを触媒とする方法や、そのほかにも三塩化リン、五塩化リン、五酸化リン、濃硫酸、メタホウ酸、塩化亜鉛など無機触媒を使う方法、クエン酸、フマル酸、酒石酸、コハク酸など有機触媒を使う方法、珪藻土、活性白土などの鉱物性物質を使う方法（特許文献１）が報告されている。
【０００６】
最近では鈴木らにより、フッ化糖を用いる方法や、単糖類を酸触媒（リン酸）と共に固相反応させる方法で糖鎖ポリマーが作製できることが報告されている（非特許文献１および非特許文献２）。
【先行技術文献】
【特許文献】
【０００７】
【特許文献１】特開２００３−２３１６９４号公報
【非特許文献】
【０００８】
【非特許文献１】Atsushi Kanazawa, Shohei Okumura and Masato Suzuki, Org. Biomol. Chem., 3,p.1746-1750(2005)
【非特許文献２】Atsushi Kanazawa, Shingo Namiki and Masato Suzuki, Journal of Polymer Science. Vol45,p.3851-3860 (2007)
【発明の概要】
【発明が解決しようとする課題】
【０００９】
しかしながら、糖質を縮合させた糖縮合物の食品への応用を考えるとき縮合の際の触媒や溶媒が食品に適さないものがある。特に、従来方法は一部を除いていずれも非揮発性酸を触媒として用いているため、反応生成物中に触媒が多量に残り、これら触媒の多くがエステル交換反応などにより糖骨格中に取り込まれる場合がある。また、触媒が残存することで、生成物が酸味を呈することがあり、場合によっては酸触媒を除去若しくは中和する必要があった。更に従来方法により得られるいずれの糖縮合物も、原料糖質の分解に起因する着色性に問題があった。
【００１０】
本発明は、飲食品への適用が可能な糖縮合物を製造するための触媒用組成物を提供することを目的とする。
【課題を解決するための手段】
【００１１】
本発明者らは、意外にも、活性炭存在下で糖縮合反応を実施することにより、着色度が低く、高い難消化性を示す糖縮合物が得られることを見出した。本発明者らはまた、糖質全般が活性炭による糖縮合反応の基質となりうることを見出した。すなわち、本発明者らは、活性炭が糖質全般の縮合反応を触媒するという未知の属性を有していることを見出し、本発明を完成させた。
【００１２】
本発明によれば以下の発明が提供される。
（１）活性炭を触媒成分として含んでなる、糖縮合反応用触媒組成物。
（２）糖縮合反応が１００℃〜３００℃の温度条件下で行う反応である、上記（１）に記載の触媒組成物。
（３）糖縮合反応が食物繊維含量３０重量％以上の糖縮合物組成物を生成する縮合反応である、上記（１）または（２）に記載の触媒組成物。
（４）上記（１）〜（３）のいずれかに記載の触媒組成物と糖縮合物を含んでなる、糖縮合反応組成物。
【００１３】
本発明の糖縮合反応用触媒組成物は活性炭を主成分として使用している。活性炭は固液分離により容易に系外へ除くことができ、また、食品添加物として利用されているように食品への使用に安全性が認められている。従って、本発明によれば、飲食品へそのまま適用可能な糖縮合物を安価で簡便に製造することができる。
【００１４】
また、本発明の糖縮合反応用触媒組成物を使用すれば、着色性が低く、難消化性の食物繊維画分が豊富な糖縮合物を一段階で製造することができる。更に、活性炭は反応後に固液分離により系外に除くことができるため、製造された糖縮合物は中性から弱酸性となり酸味を呈さない。従って、本発明の糖縮合反応用触媒組成物を用いて製造された糖縮合物は、飲食品中の糖質の代替物として利用可能な食物繊維として有用である。
【００１５】
さらに、本発明の糖縮合反応用触媒組成物を使用すれば、結晶グルコース製造の際に生ずる分蜜液であるハイドロールを糖縮合反応の基質として利用することができる。ハイドロールは結晶グルコースに比べて不純物や水分が多いことから、従来の塩酸やクエン酸などの酸触媒を用いた反応方法では着色が高くなることや風味を損ねるため、使用することが好ましくなかった。すなわち、本発明の糖縮合反応用触媒組成物を使用すれば、産業廃棄物にもなるハイドロールを利用して飲食品に適用可能な食物繊維を製造できることから、リサイクルや原料コスト削減の観点から有利である。
【図面の簡単な説明】
【００１６】
【図１】糖縮合反応において、活性炭を触媒とした場合と、クエン酸、リン酸、塩酸、および活性白土を触媒とした場合の、糖縮合物中の食物繊維含量を示した図である。
【図２】糖縮合反応において、活性炭を触媒とした場合と、クエン酸、リン酸、塩酸、および活性白土を触媒とした場合の、糖縮合物の着色度を示した図である。
【図３】ハイドロールを反応基質とし、活性炭を触媒として用いた糖縮合反応において、各反応温度での糖縮合物中の食物繊維含量の経時変化を示した図である。
【図４】無水結晶グルコースを反応基質とし、活性炭を触媒として用いた糖縮合反応において、各反応温度での糖縮合物中の食物繊維含量の経時変化を示した図である。
【図５】ハイドロールを反応基質とし、活性炭を触媒として用いた糖縮合反応において、各反応温度での糖縮合物の着色度の経時変化を示した図である。
【図６】無水結晶グルコースを反応基質とし、活性炭を触媒として用いた糖縮合反応において、各反応温度での糖縮合物の着色度の経時変化を示した図である。
【発明の具体的説明】
【００１７】
本発明の糖縮合反応用触媒組成物は「活性炭」を触媒成分として含む。ここで、「活性炭」は、多孔性炭素質吸着材として知られているものを使用することができる。活性炭は、主に、石炭、コークス、ピッチ、骨炭、木炭、ヤシ殻、木材、ノコギリくず、リグニン、牛の骨など動植物および鉱物由来の天然炭素質、フェノール樹脂やポリアクリロニトリルなどの合成樹脂などの有機高分子、煤等の炭素質物質を熱処理により炭化させ、それを賦活させて得ることができる。
【００１８】
本発明で用いられる「活性炭」は、活性炭そのものでもよいし、活性炭を一部含んだものでもよい。例えば、プラスチック、鉱物、セラミック、繊維などの担体上に活性炭を担持させたものでもよいし、粉末活性炭を粘着剤で造粒したものでもよいし、鉱物、セラミック等の粉末と粉末活性炭から造粒したものでもよい。また、骨炭、骨炭色素、木炭、木炭色素、グラファイト、カーボンブラックなども、それら構造の中に活性炭を一部含んだものでもよい。糖縮合反応により得られる糖縮合物を食品に添加することを考慮すると、活性炭は、上記炭素素材のうち食品添加物リストに記載されたものであることが好ましい。
【００１９】
本発明で用いられる「活性炭」は、活性炭を誘導体化したものでもよい。例えば、過酸化水素や硝酸による酸化反応処理でカルボキシル基を導入した活性炭や、硫酸又は発煙硫酸によるスルホン化処理でスルホン基を導入した活性炭を用いてもよい。さらに本発明で用いられる「活性炭」は、その賦活化条件により酸性〜アルカリ性に性質が変化するが、酸性炭、中性炭、アルカリ性炭のいずれも用いることができる。なお、縮合反応効率の点から酸性炭または中性炭が好ましい。
【００２０】
また、本発明に用いる活性炭の形状は特に限定されるものではなく、粒状、粉末状、繊維状、板状、ハニカム状の形状が挙げられる。本発明に用いる活性炭としては、具体的には粉末状炭として水蒸気炭、塩化亜鉛炭が挙げられ、粒状炭として破砕炭、顆粒炭、造粒炭、球状炭が挙げられる。
【００２１】
本発明に用いる活性炭として粉末活性炭を使用する場合には、例えば、日本エンバイロケミカルズ社製「白鷺Ａ、白鷺Ｃ、精製白鷺」等を用いることができる。粒状活性炭を使用する場合には、例えば、日本エンバイロケミカルズ社製「粒状白鷺ＷＨ、粒状白鷺Ｃ」、東洋カルゴン社製「Ｆ４００、Ｆ３００、ＰＣＢ、ＢＰＬ、ＣＡＬ、ＣＰＧ、ＡＰＣ」、クラレケミカル社製「クラレコールＫＷ」、クレハ化学工業社製「ＢＡＣ」、日本ノリット社製「ＰＮ、ＺＮ、ＳＡ、ＳＡ−ＳＷ、ＳＸ、ＣＡ、ＣＮ、ＣＧ、Ｄ−１０、Ｗ、ＧＬ、ＨＢ  ＰＬＵＳ」等を用いることができる。繊維状活性炭を使用する場合には、東洋レーヨン社製「ＦＸ−３００」、大阪ガス社製「Ｍ−３０」、東洋紡績社製「ＫＦ−１５００」を、板状活性炭を使用する場合には、鐘紡社製「ミクロライトＡＣ」等を、それぞれ用いることができる。
【００２２】
本発明の糖縮合反応用触媒組成物の存在下で糖縮合反応を実施することができる。ここで、「糖縮合反応」とは、糖質同士を縮合重合させて糖縮合物を得る反応をいい、典型的には、糖質の水酸基同士が脱水縮合するような反応をいう。
【００２３】
本発明では、１種または２種以上の糖質を基質に糖縮合反応を実施することができる。糖縮合反応に付すことができる糖質には特に制限はなく、単糖、オリゴ糖、および多糖、並びにこれらの還元物のいずれをも用いることができるが、製造された糖縮合物を飲食品に利用することを意図している場合には飲食品として利用可能な糖質を用いることができる。
【００２４】
本発明では、また、糖質の誘導体を糖縮合反応の基質に利用することができる。糖質の誘導体としては、糖酸などの酸化物、糖アルコールなどの還元物、アミノ糖、エーテル化糖、ハロゲン化糖、リン酸化糖などの修飾物が挙げられるが、製造された糖縮合物を飲食品に利用することを意図している場合には飲食品として利用可能な誘導体を用いることができる。例えば、ソルビトール、ガラクチトール、マンニトール、キシリトール、エリスリトール、マルチトール、ラクチトール、グルコサミン、グルコース−６−リン酸等が挙げられるが、飲食品として利用可能な糖質誘導体であれば特段制限は無い。
【００２５】
本発明において「単糖」とはオリゴ糖や多糖の構成単位となる糖をいい、例えば、グルコース、ガラクトース、マンノース、リボース、アラビノース、キシロース、リキソース、エリトロース、フラクトース、プシコース等が挙げられるが、飲食品として利用可能な単糖であれば特段制限は無い。
【００２６】
本発明において「オリゴ糖」とは、２〜１０個の単糖が結合した糖質をいい、例えば、マルトース、セロビオース、トレハロース、ゲンチオビオース、イソマルトース、ニゲロース、ソホロース、コージビオース、スクロース、ツラノース、ラクトース、キシロビオース、マルトオリゴ糖、イソマルトオリゴ糖、ニゲロオリゴ糖、セロオリゴ糖、ゲンチオオリゴ糖、キシロオリゴ糖、ガラクトオリゴ糖、マンノオリゴ糖、フラクトオリゴ糖、シクロデキストリン等が挙げられるが、飲食品として利用可能な糖質であれば特段制限は無い。
【００２７】
本発明において「多糖」とは、単糖が１１個以上結合した糖質をいい、例えば、澱粉、アミロース、アミロペクチン、デキストリン、プルラン、デキストラン、アラビノキシラン、ペクチン、イヌリン、ガラクタン、マンナン、βグルカン、焙焼デキストリン、難消化性デキストリン、ポリデキストロース、等が挙げられるが、飲食品として利用可能な糖質であれば特段制限は無い。
【００２８】
本発明の糖縮合反応用触媒組成物を利用した糖縮合物の製造方法では糖質全般が本発明の触媒組成物による糖縮合反応の基質となりうるが、縮合基質として利用できる糖質を例示すると、グルコースや、グルコースとグルコース以外の単糖、グルコースの還元物、オリゴ糖、およびデキストリンからなる群から選択される１種または２種以上との組合せが挙げられ、これ以外にも、グルコース以外の単糖、オリゴ糖、および多糖を１種または２種以上組み合わせて糖縮合反応の基質としてもよい。また、澱粉分解物を糖縮合反応の基質として利用することもできる。
【００２９】
また、本発明の糖縮合反応用触媒組成物を利用した糖縮合物の製造方法では、糖縮合反応の基質は結晶化した糖質および／または非結晶性の糖質粉末であっても、シロップ状の糖質であってもよい。本発明の糖縮合反応用触媒組成物を利用した糖縮合物の製造方法で糖縮合反応の基質として利用できるシロップ状の糖質としては、糖質の水溶液であれば特に制限はないが、縮合反応においては低水分量である事が好ましい。
【００３０】
本発明の糖縮合反応用触媒組成物を利用した糖縮合物の製造方法では糖縮合反応を１００℃以上、好ましくは、基質となる糖質の融点以上の温度で実施することができるが、反応効率の観点から１００℃〜３００℃、好ましくは、１００℃〜２８０℃、より好ましくは、１７０℃〜２８０℃の温度範囲で実施することができる。反応時間は縮合反応の進行度合いに従って調整できるが、反応産物中の難消化性画分の割合が７５％以上となるように調整した場合には、例えば、反応温度１８０℃で５〜１８０分、反応温度１９０℃で１〜１８０分、反応温度２００℃で１〜１８０分とすることができる。反応機器の構造は常圧方式または減圧方式により異なるが、１００℃から３００℃の加熱条件を満たす機械であれば特に制限はない。例えば、棚式熱風乾燥機、薄膜式蒸発器、フラッシュエバポレーター、減圧乾燥機、熱風乾燥機、スチームジャケットスクリューコンベヤー、ドラムドライヤー、エクストルーダー、ウォームシャフト反応機、ニーダーなどが挙げられる。また、反応機器は連続化も可能である。
【００３１】
本発明の糖縮合反応用触媒組成物を利用した糖縮合物の製造方法では糖縮合反応を常圧条件下あるいは減圧条件下で実施することができる。糖縮合反応を減圧条件下で実施した場合には反応生成物の着色度が低下するため有利である。
【００３２】
本発明の糖縮合反応用触媒組成物の使用量は糖縮合反応が進行する限り特に限定されないが、グルコースを含む糖質１００重量部に対し、活性炭重量基準で０．０１〜１００重量部、好ましくは０．１〜１０重量部の範囲とすることができる。
【００３３】
活性炭は、従来の金属触媒や酸性触媒などと異なり、取り扱いにおいてまたは生成物に残存した場合にも、衛生面等で危険が少なく、安全性が高いため、特に食品用途などにおいては好ましい。また、活性炭は、沈降、ろ過、遠心分離、または充填塔式とすることにより、反応系から容易に分離することができる。従来の酸触媒を使用した場合には、糖縮合物の構造内に酸触媒が結合することや生成物に酸触媒が残存することがあり、触媒を完全に分離することが困難であったが、本発明の活性炭は、反応後に容易に分離可能である。
【００３４】
活性炭は再利用性に優れており、繰り返し使用することが可能であるため、経済面でも好ましい。本発明の活性炭の再利用法は、既存の方法を用いることが可能であり特に限定されないが、例えば溶剤の溶質濃度、圧力を下げることにより吸着物などを脱離させる減圧再生法、溶媒により抽出する溶媒再生法、他の吸着物質により置換を行う置換再生法、加熱による加熱脱離法、化学処理による化学再生法、酸化、分解による酸化分解再生法などを用いることが可能である。
【００３５】
本発明の糖縮合反応用触媒組成物は活性炭を主成分として含むが、糖縮合反応触媒能を有する限り活性炭以外の物質（例えば、流動性改善剤、坦体、粘着剤、造粒剤等）を含有していてもよく、活性炭に加えて活性炭以外の糖縮合反応触媒を含有していてもよい。本発明の糖縮合反応用触媒組成物が活性炭以外の糖縮合反応触媒を含む場合、全糖縮合反応触媒成分に対する活性炭の含有割合は５０重量％以上とすることができ、好ましくは、７５重量％以上、より好ましくは９０重量％以上である。
【００３６】
本発明の糖縮合反応用触媒組成物において活性炭と一緒に使用できる糖縮合反応触媒としては、酸触媒が挙げられ、例えば、塩酸や硫酸やリン酸などの無機酸触媒、クエン酸やフマル酸、マレイン酸、アジピン酸、酒石酸、コハク酸、リンゴ酸などの有機酸触媒が挙げられる。また、酸触媒以外に、活性白土や珪藻土、白金、イオン交換樹脂などの固体触媒を使用することもできる。飲食品や食品助剤として利用でき、反応系から触媒を簡便に除去できる観点から、不揮発性の触媒が好ましく、より好ましくは不揮発性の固体触媒である。
【００３７】
本発明の糖縮合反応用触媒組成物を利用した糖縮合物の製造方法では、糖縮合反応を実施した後、糖縮合反応用触媒組成物と該触媒の作用により得られた糖縮合物の混合物が得られる。すなわち、本発明によれば、本発明の糖縮合反応用触媒組成物と糖縮合物を含有する糖縮合反応組成物が提供される。この糖縮合反応組成物は水分活性が低いためそのまま常温で保存・輸送することができる。本発明の糖縮合反応組成物は、食物繊維である糖縮合物と共に活性炭も含有しているため、そのまま食することにより食物繊維に由来する生理効果と共に活性炭に由来する「毒物の吸着除去（デトックス効果）」や「下痢止め効果」といった有利な生理効果を得ることができる。さらに、既存の糖縮合反応用触媒である有機酸等の様に酸味を有さないため、食品に添加してもその風味に悪影響を与えにくい。また、本発明の糖縮合反応組成物は、脱色作用を有する活性炭を含有しているため、その後の脱色工程の負荷を減じる事ができる点で有利であり、また、本発明の糖縮合反応組成物をスプレードライヤー等により粉末化する場合に活性炭が粉末化基材として働く点でも有利である。なお、本発明の糖縮合反応組成物はさらに適宜水に溶解し、濾過することで触媒組成物の主成分である活性炭を取り除くことができる。
【００３８】
本発明の糖縮合反応用触媒組成物を利用した糖縮合物の製造方法で得られた糖縮合物は糖アルコールに変換してもよい。本発明において糖アルコールとは、糖の還元末端のグルコシル基のアルデヒド基が還元され、水酸基となっているものを言う。
【００３９】
糖アルコールを得る方法は当業者に周知であり、使用可能な還元方法を例示すれば、ヒドリド還元剤を用いる方法、プロトン性溶媒中の金属を用いる方法、電解還元方法、接触水素化反応方法等が挙げられる。本発明においては、少量の糖アルコールを調製する場合にはヒドリド還元剤を用いる方法が簡便且つ特殊な装置を必要とせず便利であり、一方で、工業的に大規模に実施する場合には、経済性に優れ、副生成物も少ないという点から、接触水素化反応を用いる方法が好ましい。
【００４０】
接触水素化反応とは、触媒の存在下、不飽和有機化合物の二重結合部に水素を添加する反応であり、一般に水添反応とも言われている。本発明による糖アルコールの製造方法を具体的に説明すると、本発明において用いる糖縮合物を水に溶解し、そこにラネーニッケル触媒を適量加え、水素ガスを添加し、高温条件下で還元する。次に、脱色・脱イオン処理して、糖縮合物還元糖組成物を得る。
【００４１】
接触水素化反応において使用し得る触媒としては、公知の水添触媒なら特に限定されないが、例えば、ラネーニッケル、還元ニッケル、珪藻土、アルミナ、軽石、シリカゲル、酸性白土などの種々の担体に担持したニッケル−担体触媒などのニッケル触媒；ラネーコバルト、還元コバルト、コバルト−担体触媒などのコバルト触媒；ラネー銅、還元銅、銅−担体触媒などの銅触媒；パラジウム黒、酸化パラジウム、コロイドパラジウム、パラジウム−炭素、パラジウム−硫酸バリウム、パラジウム−酸化マグネシウム、パラジウム−アルミナなどのパラジウム触媒；白金黒、コロイド白金、酸化白金、硫化白金、白金−炭素などの白金−担体触媒等の白金触媒；コロイドロジウム、ロジウム−炭素、酸化ロジウムなどのロジウム触媒；ルテニウム触媒などの白金族触媒；酸化二レニウム、レニウム−炭素などのレニウム触媒；銅クロム酸化物触媒；三酸化モリブデン触媒；酸化バナジウム触媒；酸化タングステン触媒；銀触媒などが挙げられる。これらの触媒の内では、ラネーニッケル、還元ニッケル、ニッケル珪藻土を用いることが好ましく、より好ましくは、ラネーニッケルである。
【００４２】
また、水素の圧力は通常１０〜２５０ｋｇ／ｃｍ２、好ましく５０〜２００ｋｇ／ｃｍ２の範囲である。また、反応温度は触媒量、溶媒種別により異なるが、通常８０〜２００℃の範囲であることが好ましく、９０〜１６０℃がより好ましい。
【００４３】
本発明の糖縮合反応用触媒組成物を利用した糖縮合物の製造方法では、食物繊維の含量が３０重量％以上、好ましくは５０重量％以上、より好ましくは、７５重量％以上である糖縮合物組成物を製造することができる。食物繊維含量は衛新第１３号に記載された分析方法に従って測定できる。また、糖質の組成や反応条件を制御することで分子量および粘度が調整された糖縮合物を提供することができる。例えば、グルコース単独で調製した水溶性食物繊維に比べて、ソルビトールとグルコースを組み合わせて調製した場合には、ソルビトール分子が反応ストップ分子として働き、低分子量で粘度の低い水溶性食物繊維が得られる。一方、オリゴ糖やデキストリンなどの高分子量の素材とグルコースを組み合わせて調製した場合には、より高分子量で粘度の高い水溶性食物繊維が得られる。また、アラビノースやキシロースを用いて調製した場合には、グルコースに比べて高分子量の水溶性食物繊維が得られる。また、反応時間を短くする事で、オリゴ糖に分類される糖縮合物の製造も可能になる。このように、糖質の組み合わせ、糖質の種類および反応条件により糖縮合物の分子量や粘度を調整することができる。
【００４４】
本発明の糖縮合反応用触媒組成物を利用した糖縮合物の製造方法により製造される糖縮合組成物の着色度は、使用する糖基質の種類や反応条件により差は生じるが、２０％（ｗ／ｗ）水溶液での４２０ｎｍの吸光度（ＯＤ４２０）は０〜１０．０の範囲（好ましくは０〜５．０の範囲）となりうる。糖基質としてグルコースを単独で用いた場合には、本発明の製造方法により製造される糖縮合組成物の着色度は、２０％（ｗ／ｗ）水溶液での４２０ｎｍの吸光度（ＯＤ４２０）は０〜２．０の範囲となりうる。
【００４５】
本発明の糖縮合反応用触媒組成物を利用した糖縮合物の製造方法では糖質の基本構成単位であるグルコースを出発原料として利用し、高分子量の多糖を合成することができる。また、本発明の製造方法では、グルコース精製品である無水および／または含水結晶グルコースや非結晶性粉末グルコース品のみならず、グルコースシロップを利用して糖縮合反応を実施することができる。特に、後記実施例に示されるように、グルコース精製工程で生ずるハイドロールのようなグルコースシロップを縮合基質として利用可能であることから、本発明の製造方法はリサイクルや原料コスト削減の観点から極めて有利である。
【００４６】
本発明の糖縮合反応用触媒組成物を利用した糖縮合物の製造方法ではグルコース以外の糖質を出発原料として利用し、高分子量の多糖を合成することができる。このようにグルコースにグルコース以外の糖質を共存させて縮合させた場合には、植物由来の天然食物繊維により近い組成のヘテロ糖縮合物とすることができる点で有利である。
【００４７】
本発明の糖縮合反応用触媒組成物を利用した糖縮合物の製造方法では、縮合反応により得られた糖縮合物の組成物を、そのまま飲食品に添加することができ、必要に応じて、縮合反応により得られた生成物を遠心分離あるいは濾過等により不溶物を除去し、水溶性画分を濃縮することで、糖縮合物を含有する溶液としてもよい。あるいは、必要に応じて活性炭により脱色させたもの、適当なイオン交換樹脂によりイオン性成分を除去したものを濃縮してもよい。保存性やその後の用途においては、脱色、イオン除去したものを微生物の繁殖が問題とならない程度の水分活性となるまで濃縮することが好適である。あるいは、用途によっては利用しやすいように、乾燥させて、粉末とすることもできる。乾燥は、通常、凍結乾燥あるいは噴霧乾燥やドラム乾燥などの方法が利用できる。乾燥物は、必要により粉砕し、乾燥粉末にすることが望ましい。
【００４８】
本発明の糖縮合反応用触媒組成物を利用した糖縮合物の製造方法により製造された糖縮合物の乾燥物は、難消化性デキストリンやポリデキストロースのような市販の水溶性食物繊維に比べて、水やアルコール溶液に対する非常に優れた溶解性を示す（実施例Ａ１２）。従って、本発明の糖縮合反応用触媒組成物を利用した糖縮合物の製造方法により得られた糖縮合物の乾燥物を用いて各種飲食品（特に、後述する高甘味度甘味料を含有する飲料やビール風味飲料）を製造する際には乾燥物の水等への溶解時間を短縮することができ、製造効率を改善することができる点で有利である。
【００４９】
本発明の糖縮合反応用触媒組成物を利用した糖縮合物の製造方法により得られる生成物は、重合度３以上の糖縮合物と共に、重合度３未満のグルコースやマルトース、ゲンチオビオースなどの糖質を含有している。この生成物はそのまま後述するような飲食品などの用途に用いることができるが、必要に応じてこれらの成分を除去してもよい。糖質の単離・精製方法および糖質の分離・除去方法は当業者に周知の手段を利用してよく、膜分離、ゲルろ過クロマトグラフィー、カーボン−セライトカラムクロマトグラフィー、強酸性陽イオン交換カラムクロマトグラフィーなど当業者に周知の糖質の精製方法を使用できる。
【００５０】
本発明の糖縮合反応用触媒組成物を利用した糖縮合物の製造方法により得られる生成物を飲食品の風味改善や医薬品の不快な味のマスキング、カロリーコントロールに用いる場合には、その生成物に重合度３未満の糖質および分岐糖質が含まれていてもよいが、味のバランスやカロリー等の観点から、重合度３未満の糖質の一部または全部を膜分離、ゲルろ過クロマトグラフィー、カーボン−セライトカラムクロマトグラフィー、強酸性陽イオン交換カラムクロマトグラフィーなど周知の方法により分離・除去してもよい。
【００５１】
さらに、本発明の糖縮合反応用触媒組成物を利用した糖縮合物の製造方法により得られる生成物を飲食品の風味改善やカロリーコントロールに用いる場合には、カロリーの低減や味質のバランスの観点から、酵素処理を行ってもよい。また、酵素処理前後に上記糖質の分離・除去方法を行っても良い。このような酵素処理方法は、一種類または二種類以上の酵素を組み合わせることが可能である。また、酵素処理方法は、複数の酵素を段階的に作用させても良いし、同時に作用させても良い。
【００５２】
上記の酵素処理に使用される酵素は特に限定されるものではないが、例えば、α−アミラーゼ、β−アミラーゼ、グルコアミラーゼ、イソアミラーゼ、プルラナーゼ、アミログルコシダーゼ、シクロデキストリングルカノトランスフェラーゼ、α−グルコシダーゼ、トランスグルコシダーゼ、β−グルコシダーゼ、イソメラーゼ等を挙げることができる。さらに、好ましくは、これら酵素の市販品が挙げられる。
【００５３】
本発明の別の面によれば、活性炭を糖縮合反応の触媒成分として使用する方法が提供される。この糖縮合反応は１００℃〜３００℃の温度条件下で行うことができる。また、この糖縮合反応は、好ましくは、食物繊維含量３０重量％以上の糖縮合物組成物を生成する縮合反応である。
【００５４】
本発明のさらに別の面によれば、本発明の触媒組成物を使用して糖縮合反応を実施し、本発明の触媒組成物と糖縮合物とを含んでなる糖縮合反応組成物を製造する方法が提供される。
【実施例】
【００５５】
以下の例に基づいて本発明を具体的に説明するが、本発明はこれらの例に限定されるものではない。
【００５６】
実施例中に示される各種測定方法および分析方法は以下の通り行った。
【００５７】
食物繊維含量の測定
平成１１年４月２６日衛新第１３号（栄養表示基準における栄養成分等の分析方法等について）に記載されている高速液体クロマトグラフ法（酵素−ＨＰＬＣ法）により測定する。具体的には以下のように行った。
【００５８】
まず、サンプル１ｇを精密に測り、０．０８ｍｏｌ／ｌリン酸緩衝液５０ｍｌを加え、ｐＨ６．０±０．５であることを確認する。これに熱安定性α-アミラーゼ（Ｓｉｇｍａ社：ＥＣ３．２．１．１  Bacillus licheniformis由来）溶液０．１ｍｌを加え、沸騰水中に入れ、５分ごとに撹拌しながら３０分間放置する。冷却後、水酸化ナトリウム溶液（１．１→１００）を加えてｐＨを７．５±０．１に調整する。プロテアーゼ（Ｓｉｇｍａ社：ＥＣ３．４．２１．６２  Bacillus licheniformis由来）溶液0.1ｍｌを加えて、６０±２℃の水浴中で振とうしながら３０分間反応させる。冷却後、０．３２５ｍｏｌ/ｌ塩酸を加え、ｐＨを４．３±０．３に調整する。アミログルコシダーゼ（Ｓｉｇｍａ社：ＥＣ３．２．１３  Aspergillus niger由来）溶液０．１ｍｌを加え、６０±２℃の水浴中で振とうしながら３０分間反応させる。以上の酵素処理終了後、直ちに沸騰水浴中で１０分間加熱した後、冷却し、グリセリン（１０→１００）を内部標準物質として５ｍｌ加え、水で１００ｍｌとし酵素処理液とする。酵素処理液５０ｍｌをイオン交換樹脂（ＯＨ型：Ｈ型＝１：１）５０ｍｌを充填したカラム（ガラス管２０ｍｍ×３００ｍｍ）に通液速度５０ｍｌ／ｈｒで通液し、さらに水を通して流出液の全量を２００ｍｌとする。この溶液をロータリー・エバポレーターで濃縮し、全量を水で２０ｍｌとする。孔径０．４５μｍのメンブレンフィルターでろ過し、検液とする。
【００５９】
次に、検液２０μｌにつき、液体クロマトグラフィーを行い、検液のグリセリンおよび食物繊維画分のピーク面積値を測定した。
【００６０】
液体クロマトグラフィーの分析条件は以下の通りであった。
検出器：示差屈折計
カラム：ULTRON PS-80N（φ8.0×300 mm、島津ジーエルシー）を二本連結
カラム温度：８０℃
移動相：純水
流速：０．５ｍｌ／ｍｉｎ
【００６１】
食物繊維成分含量は以下の式から算出した。
食物繊維成分含量（％）＝[食物繊維成分のピーク面積/グリセリンのピーク面積]×ｆ1×[内部標準グリセリン重量(mg)/秤取資料重量(mg)]×100
（上記式中、ｆ１はグリセリンとブドウ糖のピーク面積の感度比（0.82）である。）
【００６２】
着色度の測定
サンプルの着色度の測定は、各種サンプルを２０％（ｗ／ｗ）水溶液とし、４２０ｎｍの吸光度（ＯＤ４２０）を測定することにより行った。
【００６３】
白色度の分析
サンプルの白色度の測定は、各種サンプルをＢｘ．５０に調整し、日本電色工業社製分光式色差計ＳＥ−２０００で白色度（ＷＩ値）を測定した。ＳＥ−１５７２３の標準白板にて標準合わせを行なった後、ブランクに純水を用い、純水測定時のＷＩを１００と換算して算出し、比較例のライテス（ダニスコジャパン社製）は８１．７、ファイバーソル２（松谷化学工業社製）は８０．３であった。
【００６４】
分子量の測定
各サンプルを１％（ｗ／ｖ）となるよう純水で溶解し、１％（ｗ／ｖ）活性炭を添加し、煮沸後、０．４５μｍメンブレンフィルターろ過した。ろ液をイオン交換樹脂  ＭＢ４処理後、０．４５μｍメンブレンフィルターろ過して分析を行なった。
【００６５】
分析条件は以下の通りであった。
カラム：Ｓｈｏｄｅｘ  OHpak  SB-803 HQ+SB-802.5HQ（φ 8.0×300 mm、昭和電工）
温度：40℃
溶媒：200 mM 硝酸カリウム  0.9 ml/min
圧力：67kgf/cm2
装置：MALLS:Dawn Heleos-II(Wyatt Technology,USA)(λ=658 nm),
室温RI:Optilab  ｒEX(Wyatt Technology), 25℃
σn/σc：0.145
解析ソフト：Astra(v.5.3.4.14, Wyatt Technology)
打込量  ：Bx.1×100 μl
【００６６】
メチル化分析
グリコシド結合形式の定量方法測定方法は下記の「箱守のメチル化法」（S.Hakomori,J.Biochem.,55,205(1964)）の変法でメチル化し、加水分解後にガスクロマトグラフィーにより各グリコシド結合形式の組成の定量を行った。
【００６７】
１）メチル化脱水した試料（５ｍｇ）をネジ付試験管（１５ψ×１００ｍｍ）に入れ、０．５ｍｌのＤＭＳＯを加えて溶解する。これにＮａＯＨを６０ｍｇ加え、１時間室温保持した後、０．３ｍｌのヨウ化メチルを加え、６０℃１時間反応する。攪拌後氷水中で冷却して水１ｍｌを加えて反応を停止する。１ｍｌのクロロホルムを加えて十分に振とうする。上層（水層）をピペットで採り捨てる。１ｍｌの水を加えて同様に洗浄する。この操作を５回繰り返す。パスツールピペットの底に綿を敷いて、無水硫酸ナトリウムを４〜５ｃｍの層になるように詰めて、溶液を通過させて脱水してからクロロホルムで洗う。次にロータリー・エバポレーターで濃縮・乾固する。
【００６８】
２）加水分解メチル化物に１ｍｌの４Ｍトリフルオロ酢酸を加えて１００℃で１時間加水分解し、ロータリー・エバポレーターで６０℃で濃縮・乾固する。
【００６９】
３）還元加水分解物を０．５ｍｌの水で溶解後、アンモニア水を３滴添加してアルカリ性にし、１０ｍｇの水素化ホウ素酸ナトリウムを加えて室温で２時間以上放置する。アンバーライトＭＢ４（オルガノ）を添加し、発泡が止まるまで加えて反応を停止する。次に室温で乾燥してから、生成したホウ酸を除くために、２ｍｌのメタノールを加え室温で乾燥する。この操作を５回繰り返す。
【００７０】
４）アセチル化還元物に０．５ｍｌの無水酢酸と０．５ｍｌのピリジンを加えて、１００℃で４時間加熱してアセチル化して、２ｍｌのトルエンを加えてロータリー・エバポレーターで濃縮・乾固する。
【００７１】
５）脱塩アセチル化物を１ｍｌのクロロホルムに溶解し、１ｍｌの水を加えて振とう後に水層を捨てる。この操作を５回繰り返し、最後にクロロホルムをロータリー・エバポレーターで蒸発させる。
【００７２】
６）溶解脱塩物を０．５ｍｌのクロロホルムに溶解してガスクロマトグラフで分析する。
【００７３】
７）ガスクロマトグラフィーの条件
カラム：TC-17 fused silica capillary column 30mX0.25mmID,1.0μm film
カラム温度：５０℃で１分、２８０℃まで１０℃／分で昇温、保持
試料気化室温度：３００℃
検出温度：３００℃
流速：２．５ｍｌ／分
ヘリウム  検出器ユニット  水素炎イオン化検出器
【００７４】
８）還元糖量の測定
ＤＥは、ソモギー変法（澱粉糖関連工業分析法（株式会社食品化学新聞社）（平成３年１１月１日発行）１１〜１３頁）に従って測定した。
【００７５】
実施例Ａ：糖縮合物とその製造
実施例Ａ１：糖縮合における各種触媒の検討(1)
活性炭が糖縮合反応の触媒活性を有するか否か、クエン酸触媒、リン酸触媒、塩酸触媒、および鉱物触媒と比較しつつ検討した。
【００７６】
活性炭を触媒としたサンプルは、ステンレス容器に１５ｇのハイドロール（ハイグル＃９４６５、ＤＥ９４、固形分６５％、日本食品化工社製）と１０％ (固形分当り) の活性炭（精製シラサギ、日本エンバイロケミカルズ社製）を混合した後、熱風乾燥機内で１時間反応（１８０℃）させた。クエン酸、リン酸、塩酸、および活性白土を触媒とした場合は、それぞれ活性炭の代わりに１．５％(固形分当り)クエン酸、０．１３５％(固形分当り)リン酸、０．００５％(固形分当り)塩酸、および０．２％(固形分当り)活性白土を使用した以外は上記と同様に反応を行った。
【００７７】
得られたサンプルについて食物繊維含量と着色度を測定した。結果は図１および２に示される通りであった。図１および図２から明らかなように、いずれの触媒でも７０％以上の高い食物繊維含量を示したが、着色度は活性炭を使用した場合のみ低減効果が見られた。すなわち、活性炭はクエン酸、リン酸、塩酸、および活性白土とほぼ同等の糖縮合触媒活性を有し、更に、糖縮合物の着色度を顕著に低下させる効果を有することが判明した。また、活性炭は結晶グルコースの製造過程で生ずるハイドロールにも有効に作用することが判明した。
【００７８】
実施例Ａ２：糖縮合における各種触媒の検討(2)
グルコース以外の縮合基質を用いた場合にも活性炭が糖縮合反応の触媒活性を有するか否か、クエン酸触媒、リン酸触媒、塩酸触媒、および活性白土土触媒と比較しつつ検討した。
【００７９】
活性炭を触媒としたサンプルは、ステンレス容器に１５ｇの糖縮合物基質溶液（固形分６６．７％）と１０％ (固形分当り) の活性炭（精製シラサギ、日本エンバイロケミカルズ社製）を混合した後、熱風乾燥機内で１時間反応（１８０℃）させた。塩酸、リン酸、クエン酸、および活性白土を触媒とした場合は、それぞれ活性炭の代わりに０．００５％(固形分当り)塩酸、０．０２７％(固形分当り)リン酸、１．５％(固形分当り)クエン酸、および０．２％(固形分当り)活性白土を使用した以外は上記と同様に反応を行った。
【００８０】
糖縮合物基質としては以下のものを使用した。
試験区１：グルコースおよびデキストリン (グルコース：デキストリン＝７０：３０) 
試験区２：グルコースおよびオリゴ糖(グルコース：オリゴ糖＝７０：３０)
試験区３：グルコースおよび糖アルコール(グルコース：糖アルコール＝９０：１０)
試験区４：グルコースおよびガラクトース(グルコース：ガラクトース＝５０：５０)
試験区５：グルコースおよびキシロース(グルコース：キシロース＝５０：５０)
試験区６：マンノース
試験区７：キシロース
【００８１】
グルコースは無水結晶グルコースである「メディカロース」（日本食品化工社製）を、デキストリンは「パインデックス＃１」（松谷化学工業社製）を、オリゴ糖は「ブランチオリゴ」（日本食品化工社製）を、糖アルコールはソルビトール（東和化成工業社製）をそれぞれ用いた。また、ガラクトース（ナカライテスク社製）、キシロース（鹿特級、関東化学社製）、マンノース（和光特級、和光純薬社製）を用いた。
【００８２】
得られたサンプルについて食物繊維含量と着色度を測定した。結果は表１および表２に示される通りであった。
【００８３】
【表１】
2014004580.tif 000002
【００８４】
【表２】
2014004580.tif 000003
【００８５】
表１および表２から明らかなように、グルコース以外の糖縮合物基質を用いた場合でも、いずれの触媒でも７０％以上の高い食物繊維含量を示したが、着色度は活性炭を使用した場合のみ低減効果が見られた。すなわち、活性炭はグルコース以外の糖縮合物基質を用いた場合でも、塩酸、リン酸、クエン酸、および活性白土とほぼ同等の糖縮合触媒活性を有し、更に、糖縮合物の着色度を顕著に低下させる効果を有することが判明した。
【００８６】
実施例Ａ３：活性炭触媒の反応条件の検討(1) 
活性炭触媒を用いた糖縮合反応において、反応温度や反応時間が反応産物である食物繊維含量や着色度に与える影響を検討した。
【００８７】
ハイドロールを基質としたサンプルは、ステンレス容器に１５ｇのハイドロール（ハイグル＃９４６５、日本食品化工社製）と１ｇの活性炭（精製シラサギ、日本エンバイロケミカルズ社製）を混合した後、１００℃以下で熱風乾燥機にサンプルを投入し、運転プログラム（昇温約２．５℃／分、冷却約３．３℃／分）を使用して種々温度条件で達温後１分〜３時間反応させた。反応後、５０ｍｌの純水に溶解し、５．０μｍフィルターで吸引ろ過して各種分析用サンプルとした。グルコースを基質としたサンプルは、１０ｇの無水結晶グルコース（メディカロース、日本食品化工社製）と１ｇの精製シラサギを用いて上記と同様に反応させた。
【００８８】
各温度条件における経過時間毎の食物繊維含量を分析した結果は図３および図４に示される通りであった。また、各温度条件における経過時間毎の２０％（ｗ／ｗ）溶液の着色度を測定した結果は図５および図６に示される通りであった。
【００８９】
図３〜６から明らかなように、反応温度が高い程、短時間で７５％以上の食物繊維含量が得られ、着色度も反応温度が高い程、強く着色することが判明した。ハイドロールを反応させて、７５％以上の食物繊維含量を含み、かつ低着色度（Ｂｘ．２０でＯＤ４２０２．０以下）となる反応条件は、１８０℃で１時間（７８．４％）、１９０℃で  １０分間（７６．６％）、２００℃で１分間（７８．９％）であった。無水結晶グルコースを反応させて、７５％以上の食物繊維含量を含み、かつ低着色度（Ｂｘ．２０でＯＤ４２０２．０以下）となる反応条件は、１８０℃で３０分間（８２．７％）、１９０℃で１分間（８０．４％）、２００℃で１分間（８６．５％）であった。
【００９０】
実施例Ａ４：活性炭触媒の反応条件の検討(2) 
活性炭触媒を用いた糖縮合反応において、減圧条件下での反応が反応産物である食物繊維含量や着色度に与える影響を検討した。
【００９１】
活性炭を触媒とし、無水結晶グルコース（表３および表４、試験区Ａ）またはハイドロール（表３および表４、試験区Ｂ）を基質としたサンプルは、ステンレス容器内で無水結晶グルコース（メディカロース組成：ＤＥ１００、日本食品化工社製）若しくはハイドロール（ハイグル＃９４６５、日本食品化工社製）固形分１０ｇに対し、精製シラサギ（日本エンバイロケミカルズ社製）を１ｇ混合した。容器にアルミホイルをかぶせ、適宜穴を開けた後、２００℃に保温した減圧乾燥機に素早く入れた。２００℃達温後に１時間２００℃を維持した。１時間反応後、素早く取り出し、室温にて冷却した。減圧乾燥機における反応は減圧有り（１００ｍｍＨｇ）、減圧無しの２通りで行った。減圧する場合にも予め加温し、サンプルを庫内に入れたのち、減圧を始めた。
【００９２】
減圧条件下、非減圧条件下での反応産物の着色度を測定した結果は表３に示される通りであった。また、減圧条件下、非減圧条件下での反応産物の食物繊維含量を分析した結果は表４に示される通りであった。
【００９３】
【表３】
2014004580.tif 000004
【００９４】
【表４】
2014004580.tif 000005
【００９５】
表３に示されるように、無水結晶グルコースを縮合反応に使用した場合、減圧有りでは減圧無しと比較して着色度は顕著に低下した。同様に、ハイドロールを縮合反応に使用した場合でも減圧する事で極めて低着色度の縮合糖が得られた。
【００９６】
実施例Ａ５：糖基質の検討(1) 
活性炭触媒を用いた糖縮合反応において、グルコースにオリゴ糖やデキストリンを共存させて反応を実施し、反応産物の性質を検討した。
【００９７】
グルコースにオリゴ糖を共存させた糖縮合物サンプルは、ステンレス容器に無水結晶グルコース（メディカロース、日本食品化工社製）（Ｂｘ．６５溶液として使用）、各種オリゴ糖、および精製シラサギ（日本エンバイロケミカルズ社製）１ｇを添加、混合した後、熱風乾燥機を用いて１８０℃に達温後、１時間反応を実施した。結晶グルコースと各種オリゴ糖の添加量は固形分量で合計１０ｇになるようにし、また、結晶グルコースと各種オリゴ糖の固形分比率は１０％毎になるように設定した。オリゴ糖としては、フジオリゴＧ６７（組成：ＤＥ２６、日本食品化工社製）、ＭＣ−５５（組成：ＤＥ４７、日本食品化工社製）、およびブランチオリゴ（組成：ＤＥ２３、日本食品化工社製）を使用した。
反応後、５０ｍｌの純水に溶解し、５．０μｍフィルターで吸引ろ過して各種分析用サンプルとした。
【００９８】
グルコースにデキストリンを共存させた糖縮合物サンプルは、ステンレス容器に無水結晶グルコース（メディカロース、日本食品化工社製）（Ｂｘ．６５溶液として使用）、各種デキストリン５０％（Ｗ／Ｗ）水溶液、および精製シラサギ（日本エンバイロケミカルズ社製）１ｇを添加、混合した後、熱風乾燥機を用いて１８０℃に達温後、１時間反応を実施した。無水結晶グルコースと各種デキストリンの添加量は固形分量で合計１０ｇになるようにし、また、無水結晶グルコースと各種デキストリンの固形分比率は１０％毎になるように設定した。デキストリンとしては、パインデックス＃１（組成：ＤＥ８、松谷化学工業社製）、パインデックス＃２（組成：ＤＥ１１、松谷化学工業社製）、パインデックス＃３（組成：ＤＥ２５、松谷化学工業社製）、パインデックス＃１００（組成：ＤＥ４、松谷化学工業社製）、およびクラスターデキストリン（組成：ＤＥ３、日本食品化工社製）（いずれもＢｘ．６５溶液として使用）を使用した。反応後、５０ｍｌの純水に溶解し、５．０μｍフィルターで吸引ろ過して各種分析用サンプルとした。
【００９９】
得られた糖縮合物について食物繊維含量と着色度を測定した。結果は表５〜８に示される通りであった。
【０１００】
【表５】
2014004580.tif 000006
【０１０１】
【表６】
2014004580.tif 000007
【０１０２】
【表７】
2014004580.tif 000008
【０１０３】
【表８】
2014004580.tif 000009
【０１０４】
表５〜８に示されるように、グルコースにオリゴ糖を共存させた場合やデキストリンを共存させた場合にも活性炭存在下で糖縮合反応が進行し、水溶性で食物繊維を豊富に含む糖縮合物が製造できることが判明した。
【０１０５】
実施例Ａ６：糖基質の検討(2) 
活性炭触媒を用いた糖縮合反応において、グルコース以外の糖質のみを縮合基質とした場合について反応を実施し、反応産物の性質を検討した。また、活性炭触媒を用いた糖縮合反応において、グルコースにグルコース以外の糖質を共存させて反応を実施し、反応産物の性質を検討した。
【０１０６】
グルコース以外の糖質のみを縮合基質とした糖縮合物サンプルはステンレス容器に固形分１ｇの各種糖質と０．１ｇの活性炭（精製シラサギ、日本エンバイロケミカルズ社製）を混合し、１００℃以下で熱風乾燥機にサンプルを投入し、運転プログラム（昇温約２．５℃／分、冷却約３．３℃／分）を使用して１８０℃に達温後３０分間反応させて調製した。試験に供した糖類は次の通りであった。無水結晶グルコース（メディカロース、日本食品化工社製）、マンノース（和光特級、和光純薬社製）、ガラクトース（ナカライテスク社製）、キシロース（鹿特級、関東化学社製）、アラビノース（半井化学薬品社製）、リボース（関東化学社製）、マルトース（日本食品化工社製）、ラクトース１水和物（関東化学社製）。反応後、５０ｍｌの純水に溶解し、０．４５μｍフィルターで吸引ろ過して各種分析用サンプルとした。
【０１０７】
ヘテロ糖縮合物サンプルはステンレス容器に無水結晶グルコース（メディカロース、日本食品化工社製）と、グルコース以外の単糖、すなわち、キシロース（鹿特級、関東化学社製）、ガラクトース（ナカライテスク社製）、マンノース（和光特級、和光純薬社製）を固形分比率が０〜１００％となるように混合した全固形分１０ｇの糖質と１．０ｇの活性炭（精製シラサギ、日本エンバイロケミカルズ社製）を混合し、１００℃以下で熱風乾燥機にサンプルを投入し、運転プログラム（昇温約２．５℃／分、冷却約３．３℃／分）を使用して１８０℃に達温後３０分間反応させて調製した。反応後、２０％（Ｗ／Ｗ）となるよう純水に溶解し、０．４５μｍフィルターで吸引ろ過して各種分析用サンプルとした。
【０１０８】
各種糖質を縮合させたヘテロ糖縮合物の食物繊維含量および着色度を測定した結果は表９に示される通りであった。
【０１０９】
【表９】
2014004580.tif 000010
【０１１０】
表９に示されるように、グルコース以外の糖質を縮合基質として使用した場合でも低着色で食物繊維含量が豊富な糖縮合物が製造できることが判明した。
【０１１１】
各種単糖とグルコースを任意の混合比率で調製したヘテロ糖縮合物の食物繊維含量および着色度を測定した結果は表１０〜１２に示される通りであった。
【０１１２】
【表１０】
2014004580.tif 000011
【０１１３】
【表１１】
2014004580.tif 000012
【０１１４】
【表１２】
2014004580.tif 000013
【０１１５】
表１０〜１２に示されるように、グルコースに加えてキシロース、ガラクトース、およびマンノースを縮合原料に用いた糖縮合物は、グルコース単独の糖縮合物に比べて、これら単糖の比率が高くなる毎に食物繊維含量が増加した。また、着色度については、マンノースを使用した糖縮合物ではマンノース比率が高くなるにつれてやや着色度が増加する傾向が見られたが、キシロースやガラクトースを使用した糖縮合物ではこれらの糖比率が高くなっても着色度は横ばいであった。
【０１１６】
このように、グルコースにグルコース以外の単糖を共存させて得られた糖縮合物は、アラビノース、キシロース、マンノース、ガラクトースなどとグルコースを任意の比率で組み合わせることにより、食物繊維含量の多い糖縮合物を調製することが可能であることが判明した。すなわち、本発明ではグルコース以外の単糖を縮合原料として利用して植物由来の食物繊維により近い組成の糖縮合物を製造できることが示された。また、グルコース以外の単糖のみで縮合反応を実施した場合にも低着色性で食物繊維含量が豊富な糖縮合物が製造できることも判明した。すなわち、本発明の製造方法はグルコースの縮合反応のみならず、グルコース以外の単糖の縮合反応にも有効であることが示された。
【０１１７】
実施例Ａ７：糖基質の検討(3) 
活性炭触媒を用いた糖縮合反応において、グルコースに各種糖アルコールを共存させて反応を実施し、反応産物の性質を検討した。
【０１１８】
糖縮合物サンプルはステンレス容器に固形分９．０ｇの無水結晶グルコース（メディカロース、日本食品化工社製）と固形分１．０ｇの各種糖アルコールを、１．０ｇの活性炭（精製シラサギ、日本エンバイロケミカルズ社製）と混合し、１００℃以下で熱風乾燥機にサンプルを投入し、運転プログラム（昇温約２．５℃／分、冷却約３．３℃／分）を使用して１８０℃に達温後３０分間反応させて調製した。試験に供した糖アルコールは次の通りであった。無水結晶グルコース（メディカロース、日本食品化工社製）（比較対照）、ソルビトール（東和化成工業社製）、ガラクチトール（東京化成工業社製）、マンニトール（和光純薬工業社製、和光一級）、キシリトール（東和化成工業社製）、エリスリトール（和光純薬工業社製、和光一級）、ラクチトール（フナコシ社製）、マルチトール（フナコシ社製）、イノシトール（関東化学社製）、グリセロール（関東化学社製）。反応後、５ｍｌの純水に溶解し、０．４５μｍフィルターで吸引ろ過して各種分析用サンプルとした。
【０１１９】
グルコースと各種糖アルコールを縮合させた糖縮合物の食物繊維含量および着色度を測定した結果は表１３に示される通りであった。
【表１３】
2014004580.tif 000014
【０１２０】
表１３に示されるように、グルコースと糖アルコールを縮合基質として使用した場合でも低着色で食物繊維含量が豊富な糖縮合物が製造できることが判明した。すなわち、本発明の製造方法では糖アルコールも縮合原料として利用できることが示された。
【０１２１】
実施例Ａ８：糖縮合物の製造（１）
無水結晶グルコース（メディカロース、日本食品化工社製）４００ｇに対して、１０％（固形分当り）の活性炭（精製シラサギ、日本エンバイロケミカルズ社製）を添加混合後、加熱反応機に投入し、１８０℃で３０分間加熱し、サンプルを得た。室温まで冷却し、このサンプルを２０％水溶液とした後、濾過を行い活性炭を完全に除去し、可溶性糖質を得た。得られた可溶性糖質画分を活性炭による脱色濾過、イオン交換樹脂による脱色、エバポレーター濃縮を行った後、乾燥した。約３３０ｇの生成物を得、食物繊維含量は７９．１％、着色度０．１３（Ｂｘ．５０）、白色度９８．５（Ｂｘ．５０）、平均分子量３，３００であった。
【０１２２】
実施例Ａ８にて製造した糖縮合物の一部を水素化ホウ素酸ナトリウムを用いて室温３時間反応を実施し、得られたサンプルはＤＥ０であった。
【０１２３】
実施例Ａ８にて製造した糖縮合物の一部をＴＯＹＯＰＥＡＲＬ  ＨＷ−４０Ｓ（φ５．０ｘ９０ｃｍ）を担体とした樹脂分画に供し、２糖以下の低分子を除去したものは食物繊維含量が９４．７％となり、α−アミラーゼおよびグルコアミラーゼで処理した後に樹脂分画したものは食物繊維含量は９９．０％であった。
【０１２４】
実施例Ａ９：糖縮合物の製造（２）
ハイドロール（ハイグル＃９４６５日本食品化工社製）固形分４００ｇに対して、１０％（固形分当り）の活性炭（精製シラサギ、日本エンバイロケミカルズ社製）を添加混合後、加熱反応機に投入し、１８０℃で６０分間加熱し、サンプルを得た。室温まで冷却し、このサンプルを２０％水溶液とした後、濾過を行い活性炭を完全に除去し、可溶性糖質を得た。得られた糖質画分を活性炭による脱色濾過、イオン交換樹脂による脱色、エバポレーター濃縮を行った後、乾燥した。約３００ｇの生成物を得、食物繊維含量は７６．８％、着色度０．７６（Ｂｘ．５０）、白色度８３．０（Ｂｘ．５０）、平均分子量３，３００であった。
【０１２５】
実施例Ａ９にて製造した糖縮合物の一部を水素化ホウ素酸ナトリウムを用いて室温３時間反応を実施したところ、得られたサンプルはＤＥ  ０．３であった。
【０１２６】
実施例Ａ９にて製造した糖縮合物の一部をＴＯＹＯＰＥＡＲＬ  ＨＷ−４０Ｓ（φ５．０ｘ９０ｃｍ）を担体とした樹脂分画に供し、２糖以下の低分子を除去したものは食物繊維含量が９３．３％となり、α−アミラーゼおよびグルコアミラーゼで処理した後に樹脂分画したものは食物繊維含量は９９．０％であった。
【０１２７】
実施例Ａ１０：糖縮合物の製造（３）
オリゴ糖シラップ（ブランチオリゴ、日本食品化工社製）固形分１２０ｇと無水結晶グルコース（メディカロース、日本食品化工社製）固形分２８０ｇを混合したＢｘ．６５水溶液に対して、１０％（固形分当り）の活性炭（精製シラサギ、日本エンバイロケミカルズ社製）を添加混合後、加熱反応機に投入し、１８０℃で３０分間加熱し、サンプルを得た。室温まで冷却し、このサンプルを２０％水溶液とした後、濾過を行い活性炭を完全に除去し、可溶性糖質を得た。得られた糖質画分を活性炭による脱色濾過、イオン交換樹脂による脱色、エバポレーター濃縮を行った後、乾燥した。約３１０ｇの生成物を得、食物繊維含量は７９．０％、着色度０．２６（Ｂｘ．５０）、白色度９４．５（Ｂｘ．５０）、平均分子量５，２００であった。
【０１２８】
実施例Ａ１０にて製造した糖縮合物の一部を水素化ホウ素酸ナトリウムを用いて室温３時間反応を実施し、得られたサンプルはＤＥ  ０であった。
【０１２９】
実施例Ａ１０にて製造した糖縮合物の一部をＴＯＹＯＰＥＡＲＬ  ＨＷ−４０Ｓ（φ５．０ｘ９０ｃｍ）を担体とした樹脂分画に供し、２糖以下の低分子を除去したものは食物繊維含量が９１．４％となり、α−アミラーゼおよびグルコアミラーゼで処理した後に樹脂分画したものは食物繊維含量は９９．０％であった。
【０１３０】
実施例Ａ１１：糖縮合物の製造（４）
デキストリン（パインデックス＃１、松谷化学工業社製）固形分１２０ｇと無水結晶グルコース（メディカロース、日本食品化工社製）固形分２８０ｇを混合したＢｘ．６５水溶液に対して、１０％（固形分当り）の活性炭（精製シラサギ、日本エンバイロケミカルズ社製）を添加混合後、加熱反応機に投入し、１８０℃で３０分間加熱し、サンプルを得た。室温まで冷却し、このサンプルを２０％水溶液とした後、濾過を行い活性炭を完全に除去し、可溶性糖質を得た。得られた糖質画分を活性炭による脱色濾過、イオン交換樹脂による脱色、エバポレーター濃縮を行った後、乾燥した。約２９０ｇの生成物を得、食物繊維含量は７８．７％、着色度０．４５（Ｂｘ．５０）、白色度８９．０（Ｂｘ．５０）、平均分子量７，９００であった。
【０１３１】
実施例Ａ１１にて製造した糖縮合物の一部を水素化ホウ素酸ナトリウムを用いて室温３時間反応を実施したところ、得られたサンプルはＤＥ  ０．１であった。
【０１３２】
実施例Ａ１１にて製造した糖縮合物の一部をＴＯＹＯＰＥＡＲＬ  ＨＷ−４０Ｓ（φ５．０ｘ９０ｃｍ）を担体とした樹脂分画に供し、２糖以下の低分子を除去したものは食物繊維含量が９０．６％となり、α−アミラーゼおよびグルコアミラーゼで処理した後に樹脂分画したものは食物繊維含量は９９．０％であった。
【０１３３】
実施例Ａ１２：糖縮合物の製造（５）
マルトオリゴ糖シラップ（ＤＥ４７、日本食品化工社製）固形分３０ｋｇとグルコースシラップ（ＤＥ９８、日本食品化工社製）固形分７０ｋｇを混合したＢｘ．９０濃縮液に、３％（固形分当り）の活性炭（水蒸気炭(食品添加物グレード)、フタムラ化学社製）を添加混合後、２５０℃設定の加熱反応機（連続式ニーダー）に投入し、混練加熱してサンプルを得た。サンプルを水浴中に受け、３０％水溶液とした後、活性炭を濾過で完全に除去し、可溶性糖質を得た。得られた可溶性糖質画分を活性炭による脱色濾過、イオン交換樹脂による脱色、エバポレーター濃縮を行った後、乾燥した。約 ９０ｋｇの生成物を得、食物繊維含量は８１．７％、着色度０．１４（Ｂｘ．２０）であった。
［水への溶解性］
実施例Ａ１２の糖縮合物と各種水溶性食物繊維（ポリデキストロース、難消化性デキストリン）の水への溶解性を比較した。試験に当たって３００ｍｌ容トールビーカーに蒸留水を２００ｇ添加し、マグネティックスターラーで撹拌（９００ｒｐｍ）した。次いで、各水溶性食物繊維素材を２０ｇ一時に添加し、完全に溶解するまでの時間を計測した。なお、乾燥法による溶解性の差を排除するため、各サンプルを１０％（ｗ／ｗ）水溶液とした後、凍結乾燥機で乾燥したサンプルを用いて試験を行った。試験結果は図７に示される通りであった。図７から明らかなように、本発明の糖縮合物は、他の水溶性食物繊維と比べ、半分以下の溶解時間で水に溶解することが明らかとなった。
［アルコール溶液への溶解性］
水への溶解性の試験方法で用いた「蒸留水」を３０％（ｖ／ｖ）エタノールに置き換えることで、各種水溶性食物繊維のアルコール溶液への溶解性を比較した。試験結果を図８に示される通りであった。図８から明らかなように、本発明の糖縮合物は、他の水溶性食物繊維と比べ、半分以下の溶解時間でアルコール溶液に溶解することが明らかとなった。
なお、いずれの水溶性食物繊維も、３０％（ｖ／ｖ）エタノール溶液中に沈澱を生じなかった。
【０１３４】
このように本発明の糖縮合物は水やアルコール溶液への溶解性が優れており、各種飲食品を製造する際に溶解時間を短縮することができ、製造効率を改善することができる。
【０１３５】
官能評価試験
各種水溶性食物繊維を比較することを目的として、それぞれを１０％水溶液の味質を比較した。１０人のパネラーにて、作製した水溶液の官能評価を行い、味質について評価を行った。味質については、非常に良い（◎）、良い（○）、普通（△）、悪い（×）の評価で示し、風味については、非常に良い（◎）、良い（○）、普通（△）、悪い（×）の評価で示した。 比較例として市販水溶性食物繊維のポリデキストロースである「ライテス」（ダニスコジャパン社製）および「ライテスII」（ダニスコジャパン社製）を、また、難消化性デキストリンである「パインファイバー」（松谷化学工業社製）および「ファイバーソル２」（松谷化学工業社製）をそれぞれ用いた。評価結果は表１４に示される通りであった。
【０１３６】
【表１４】
2014004580.tif 000015
【０１３７】
このように本発明の製造方法により得られた糖縮合物は従来の食物繊維と同様にほぼ無味・無臭であることが確認された。すなわち、本発明の製造方法により得られた糖縮合物は添加する飲食品や医薬品に雑味を付与することなく、飲食品や医薬品の賦形剤や増量剤として利用可能であることが示された。
安全性試験
実施例Ａ１２の糖縮合物を用いて、Ames試験を行った。具体的には、水溶性食物繊維NSK-1100の遺伝子突然変異誘発能の有無を検討するため、ネズミチフス菌（Salmonella typhimurium）TA100、TA1535、TA98、TA1537及び大腸菌Escherichia coli WP2 uvrAを用いて、代謝活性化する場合および代謝活性化しない場合の条件下で、プレインキュベーション法により実施した。その結果、実施例Ａ１２の糖縮合物には変異原性は認められなかった。
また、マウスを使用して、実施例Ａ１２の糖縮合物を経口投与して急性毒性試験を行った。その結果、本発明の糖縮合物は無毒性であり、投与可能な最大量においても死亡例は認められず、そのＬＤ５０値は１０ｇ／ｋｇ（マウス体重）以上であった。
消化性試験
実施例Ａ１２の糖縮合物を用いて、日本栄養食糧学会誌、第43巻、第23乃至29項（1990）に記載の岡田らの方法に準じて、試験管内において唾液アミラーゼ、人工胃液、膵臓アミラーゼおよび小腸粘膜酵素による消化性を調べた。対照として、市販の水溶性食物繊維（難消化性デキストリン（ファイバーソルII：松谷化学工業社製）およびポリデキストロース（ライテス：ダニスコ社製））を用いた。結果を表１５に示される通りであった。
【表１５】
2014004580.tif 000016
表１５の結果から明らかなように、本発明の糖縮合物は、唾液アミラーゼ、人工胃液によっては全く消化されず、膵臓アミラーゼでごく僅か分解された。また、対照の難消化性デキストリンの小腸粘膜酵素による分解率が１３．２％であるのに対して、本発明の糖縮合物の分解率は、６．７％と低く、本発明の糖縮合物は市販の難消化性デキストリンよりもさらに消化され難いことが判明した。
構造解析
実施例Ａ８、Ａ９、Ａ１０、Ａ１１、およびＡ１２の糖縮合物について前記のメチル化分析による構造解析を行った。結果は表１６に示される通りであった。
【表１６】
2014004580.tif 000017
表１６の結果から明らかなように、実施例Ａ８、Ａ９、Ａ１０、およびＡ１２の糖縮合物中の主要な結合は１，６−結合であった。また、実施例Ａ１１の糖縮合物中の主要な結合は１，４−結合であった。
【０１３８】
実施例Ｂ：糖縮合反応用触媒の検討
実施例Ｂ１：活性炭と各種触媒の組合せの検討
活性炭と各種触媒の組合せが糖縮合反応の触媒活性を有するか否かを、各種触媒単独で糖縮合反応を行った場合と比較しつつ検討した。
【０１３９】
ステンレス容器にて１０ｇ（固形分換算ｗ／ｗ）のハイドロール（ハイグル＃９４６５、ＤＥ９４、固形分６５％、日本食品化工社製）と表１７に記載の各濃度の触媒を混合した後、熱風乾燥機を用いて１８０℃で１時間反応させた。各種触媒は対糖質固形分当り、クエン酸０．１〜１．５％、リン酸０．０２７〜０．１３５％、塩酸（有効塩素として）０．０００１〜０．０５％、活性白土０．０１〜０．２％の濃度で添加し、単独で、あるいは、対糖質固形分当たり１０％の活性炭（精製シラサギ、日本エンバイロケミカルズ社製）と組合せて反応させた。
【０１４０】
得られたサンプルについて食物繊維含量と着色度（２０％水溶液）を測定した。結果は表１７に示される通りであった。
【０１４１】
【表１７】
2014004580.tif 000018
【０１４２】
いずれの触媒を用いた場合も、活性炭共存下の試験区は、触媒を単独で用いた試験区と比べて食物繊維含有量は増加し、着色度は低下した。よって、クエン酸、リン酸、塩酸、活性白土といった公知の触媒に新たな糖縮合反応用触媒として活性炭を組み合わせて使用することにより、食物繊維含量を高めつつ糖縮合物の着色を抑えることが可能であることが明らかとなった。
【０１４３】
実施例Ｂ２：各種活性炭の検討（１）
活性炭の種類が糖縮合反応の触媒活性を有するか否かを検討した。
【０１４４】
ステンレス容器にて１０ｇ（固形分換算ｗ／ｗ）のハイドロール（ハイグル＃９４６５、ＤＥ９４、固形分６５％、日本食品化工社製）と表１８に記載の各種活性炭３ｇを混合し、均一に分散化した後、熱風乾燥機にて１８０℃で６０分間反応させた。なお、使用した活性炭は以下の通りであった。
活性炭１：水蒸気賦活炭（フタムラ化学社製）
活性炭２：薬品賦活炭（フタムラ化学社製）
活性炭３：塩化亜鉛炭（日本エンバイロケミカルズ社製）
活性炭４：水蒸気賦活炭（日本エンバイロケミカルズ社製）
【０１４５】
得られたサンプルについて食物繊維含量と着色度（２０％水溶液）を測定した。結果は表１８に示される通りであった。
【０１４６】
【表１８】
2014004580.tif 000019
【０１４７】
いずれの種類の活性炭を用いたサンプルも食物繊維含量８０％以上の糖縮合物が得られ、無触媒のサンプルと比べ食物繊維含量は高く、着色度は低く抑えられた。よって、いずれの種類の活性炭も糖縮合反応用の触媒として有用であることが示された。
【０１４８】
実施例Ｂ３：各種活性炭の検討（２）
活性炭の化学修飾が糖縮合反応の触媒活性を有するか否かを検討した。
【０１４９】
１８ｃｃステンレスカップに５００ｍｇの反応用混合物（無水結晶ブドウ糖（日本食品化工社製）に２％Ｗ／Ｗの活性炭を混合したもの）を加え、１６０℃設定オイルバスにて６０分間反応させた。その後、氷冷したサンプルを約２０％溶液となるように溶解し、食物繊維含量と着色度を測定した。なお、使用した活性炭は以下の通りであった。
活性炭１：活性炭（太閤Ａ、フタムラ化学社製）
活性炭２：活性炭１に硝酸酸化処理を施したもの（硝酸酸化処理方法は、「環境化学  Vol. 17 (2007), No. 4 pp.635-641」に記載の方法に従った。）
活性炭３：活性炭１にスルホン化処理を施したもの（スルホン化処理方法は、特開２００９−２０１４０５号公報に記載の方法に従った。）  
【０１５０】
結果は表１９に示される通りであった。
【０１５１】
【表１９】
2014004580.tif 000020
【０１５２】
いずれの種類の活性炭を用いても無触媒条件下のサンプルと比べて、大幅に食物繊維含量の高い糖縮合物が得られ、更に着色も抑えられた。よって、いずれの種類の活性炭も糖縮合反応用の触媒として有用であることが示された。なお、無触媒条件下のサンプルの食物繊維含量が３０％以下と低かったのは、本実施例の加熱条件に起因するものと考えられる。
【０１５３】
実施例Ｂ４：中性活性炭の検討
中性活性炭が糖縮合反応の触媒活性を有するか否かを検討した。
【０１５４】
１８ｃｃステンレスカップに５００ｍｇの反応用混合物（無水結晶ブドウ糖（日本食品化工社製）に２％Ｗ／Ｗの中性活性炭（活性炭、粉末、中性、和光純薬工業社製）を混合したもの）を加え、１７５℃設定オイルバスにて９０分間反応させた。その後、氷冷したサンプルを約２０％溶液となるように溶解し、食物繊維含量と着色度を測定した。
【０１５５】
結果は表２０に示される通りであった。
【０１５６】
【表２０】
2014004580.tif 000021
【０１５７】
中性活性炭を糖縮合反応用触媒として用いたサンプルは、食物繊維含量８０％以上と無触媒条件下のサンプルと比べて食物繊維含量が高く、さらに着色は抑えられたものであった。よって、中性活性炭も糖縮合反応用の触媒として有用であることが示された。
【０１５８】
実施例Ｃ：その他の糖縮合物の製造
実施例Ｃ１：ポリデキストロースの製造
活性炭を糖縮合反応用触媒として添加してポリデキストロースを製造可能であることを確認した。
【０１５９】
グルコースシラップ（ＤＥ９８、日本食品化工社製）固形分８９ｋｇとソルビトールシラップ（三菱化学フードテック社製）固形分１０ｋｇとクエン酸（食品添加物、関東化学社製）１ｋｇを混合し、３％（固形分当り）の活性炭（水蒸気炭(食品添加物グレード)、フタムラ化学社製）を添加混合後、２５０℃設定の加熱反応機（連続式ニーダー）に投入し、混練加熱してサンプルを得た。サンプルを水浴中に受け、３０％水溶液とした後、活性炭を濾過で完全に除去し、ポリデキストロース反応液を得た。得られた反応液を活性炭による脱色濾過、イオン交換樹脂による脱色、エバポレーター濃縮を行った後、乾燥した。約９０ｋｇの生成物を得、食物繊維含量は８０．７％、着色度０．１５（Ｂｘ．２０）であった。よって、活性炭を糖縮合反応用触媒として使用することでポリデキストロースを製造可能であることが示された。
【図３】
2014004580.tif 000022
【図４】
2014004580.tif 000023
【図５】
2014004580.tif 000024
【図６】
2014004580.tif 000025
【図１】
2014004580.tif 000026
【図２】
2014004580.tif 000027